(57)【特許請求の範囲】
【請求項１】
少なくともパネル厚さ方向一方面及び一側端面に一連状に表面仕上シートの貼着が可能なように、少なくとも前記パネル厚さ方向一方面及び前記一側端面が易貼着性の下地面とされており、
前記一側端面には、当該一側端面に貼着された前記表面仕上シートの余長部位を切除する切断刃が沿わせられるガイドが形成されるように、切断ガイド部が長手方向に延びるように設けられており、
前記切断ガイド部は、前記一側端面において開口する収容凹溝に埋め込まれるように設けられ、合成樹脂系材料または金属系材料から成形されたガイド部材に設けられていることを特徴とするパネル材。
【請求項２】
請求項１において、
前記切断ガイド部は、前記一側端面において突出するように設けられた切断ガイド凸条とされていることを特徴とするパネル材。
【請求項３】
請求項１において、
前記切断ガイド部は、前記一側端面において開口するように設けられた切断ガイド凹溝とされていることを特徴とするパネル材。
【請求項４】
請求項１乃至３のいずれか１項に記載のパネル材の少なくともパネル厚さ方向一方面及び一側端面に一連状に、かつ前記切断ガイド部を覆うように表面仕上シートを貼着して形成されたガイドに、切断刃を沿わせるようにして前記表面仕上シートの余長部位を切除することを特徴とする表面仕上シートの貼着方法。
【発明の詳細な説明】
【技術分野】
【０００１】
本発明は、パネル材及びこれを用いた表面仕上シートの貼着方法に関する。
【背景技術】
【０００２】
従来の引戸パネルや開き戸パネルなどの建具パネルや、間仕切パネル、その他の内装パネルなどのパネル材は、四周表面に、樹脂シート等の化粧シートが貼着された構成とされている。このようなものでは、壁紙等の色柄の種類に比べて、一般的に色柄の種類が少なく、また、製造会社が壁紙等の他の内装材や内装設備等の製造会社と異なる場合等には、これらの表面意匠と色柄等を合わせ難くなるということも考えられる。また、発注後に表面の色柄等を変え難く、例えば、内装の仕上げ段階の際や部分リフォームの際等に、他の内装部位との調和性等を見たいような場合にも対応が困難であった。
例えば、下記特許文献１では、紙と耐水性樹脂のフィルムとからなる下地シートを、合板やＭＤＦ等の板の両側の表面に貼り付けた構成とされた下地用板が提案されている。
【先行技術文献】
【特許文献】
【０００３】
【特許文献１】実開平９−３２２号公報
【発明の概要】
【発明が解決しようとする課題】
【０００４】
しかしながら、上記特許文献１に記載された下地用板では、厚さ方向両面に壁紙や襖紙等を貼ることは可能ではあるが、側端面（木口）への貼着性については考慮がなされておらず、更なる改善が望まれる。
【０００５】
本発明は、上記実情に鑑みてなされたものであり、表面意匠の選択自由度を向上させながらも、表面仕上シートの貼着性を向上し得るパネル材及びこれを用いた表面仕上シートの貼着方法を提供することを目的としている。
【課題を解決するための手段】
【０００６】
上記目的を達成するために、本発明に係るパネル材は、少なくともパネル厚さ方向一方面及び一側端面に一連状に表面仕上シートの貼着が可能なように、少なくとも前記パネル厚さ方向一方面及び前記一側端面が易貼着性の下地面とされており、前記一側端面には、当該一側端面に貼着された前記表面仕上シートの余長部位を切除する切断刃が沿わせられるガイドが形成されるように、切断ガイド部が長手方向に延びるように設けられており、前記切断ガイド部は、前記一側端面において開口する収容凹溝に埋め込まれるように設けられ、合成樹脂系材料または金属系材料から成形されたガイド部材に設けられていることを特徴とする。
【０００７】
また、上記目的を達成するために、本発明に係る表面仕上シートの貼着方法は、本発明に係るパネル材の少なくともパネル厚さ方向一方面及び一側端面に一連状に、かつ前記切断ガイド部を覆うように表面仕上シートを貼着して形成されたガイドに、切断刃を沿わせるようにして前記表面仕上シートの余長部位を切除することを特徴とする。
【発明の効果】
【０００８】
本発明に係るパネル材及びこれを用いた表面仕上シートの貼着方法は、上述のような構成としたことで、表面意匠の選択自由度を向上させながらも、表面仕上シートの貼着性を向上させることができる。
【図面の簡単な説明】
【０００９】
【図１】（ａ）〜（ｄ）は、いずれも本発明の一実施形態に係るパネル材及びこれを用いた表面仕上シートの貼着方法の工程の一例を模式的に示す図２（ｂ）に対応させた一部破断概略横断面図である。
【図２】（ａ）は、同パネル材の一例を模式的に示す概略正面図、（ｂ）は、（ａ）におけるＸ−Ｘ線矢視に対応させた一部破断概略横断面図である。
【図３】（ａ）〜（ｄ）は、いずれも本発明の他の実施形態に係るパネル材及びこれを用いた表面仕上シートの貼着方法の工程の一例を模式的に示し、図１（ａ）〜（ｄ）にそれぞれ対応させた一部破断概略横断面図である。
【発明を実施するための形態】
【００１０】
以下に本発明の実施の形態について、図面に基づいて説明する。
なお、一部の図では、他図に付している詳細な符号の一部を省略している。
また、図１〜図３の横断面図では、表面基材及び表面仕上シートの切断面の平行斜線（ハッチング）を省略している。
【００１１】
図１及び図２は、第１実施形態に係るパネル材の一例を模式的に示す図である。
本実施形態に係るパネル材１は、図１及び図２に示すように、少なくともパネル厚さ方向一方面１５及び一側端面１６に一連状に表面仕上シート２の貼着が可能なように、少なくともパネル厚さ方向一方面１５及び一側端面１６が易貼着性の下地面とされている。また、パネル材１は、一側端面１６に、当該一側端面１６に貼着された表面仕上シート２の余長部位２ｂを切除する切断刃４が沿わせられるガイド３が形成されるように、切断ガイド部２１を長手方向に延びるように設けた構成とされている。
【００１２】
表面仕上シート２は、当該パネル材１が工場出荷後に、例えば、住居等の建物等の施工現場や工務店等の施工現場外の貼着現場において、パネル材１の下地面に貼着される。この表面仕上シート２としては、薄シート状（フィルム状）とされたもので貼着現場において貼着可能なものであればどのようなものでもよく、例えば、合成樹脂製シートや突板等の化粧シートや、樹脂クロスや紙クロス、布クロス等の壁紙等としてもよい。また、表面仕上シート２は、パネル材１の下地面に接着剤等によって貼着されるものとしてもよく、裏面に粘着材及び剥離紙が設けられたものとしてもよい。
【００１３】
また、本実施形態では、切断ガイド部２１を、一側端面１６において開口する収容凹溝１７に埋め込まれるように設けられたガイド部材２０に設け、パネル材１を、このガイド部材２０と収容凹溝１７を一側端面１６に設けた素パネル１０とを備えた構成としている。
また、本実施形態では、素パネル１０を、図２（ａ）に示すように、一方向（上下方向）に長尺な形状としている。また、このパネル材１は、長手方向を上下方向に沿わせて配設される引戸パネルや開き戸パネルなどの建具パネルや、間仕切パネルなどの建具または間仕切を構成するものとしてもよい。
【００１４】
素パネル１０は、略矩形平板状とされている。また、本実施形態では、図２（ｂ）に示すように、素パネル１０のパネル幅方向両側の側端面１６，１６のそれぞれにおいて開口するように収容凹溝１７，１７を設けた構成としている。また、これら収容凹溝１７，１７のそれぞれに埋め込むように、互いに同様の構成とされたガイド部材２０，２０を設けた構成としている。
また、本実施形態では、素パネル１０の四周表面となるパネル厚さ方向両側の表面１５，１５及び収容凹溝１７，１７が設けられた部位を除くパネル幅方向両側の側端面１６，１６を、一連状の下地面としている。なお、素パネル１０の長手方向両端面の両方または一方を、表面仕上シート２の貼着が可能な易貼着性の下地面としてもよい。
また、本実施形態では、素パネル１０の四周角部を、突湾曲面形状（Ｒ面取り形状）としている。
【００１５】
両側の側端面１６，１６のそれぞれに設けられた収容凹溝１７，１７は、互いに同様の構成とされており、パネル幅方向外方側に向けて開口し、パネル長手方向に延びるように全長に亘って設けられている。これら収容凹溝１７，１７は、パネル厚さ方向に向く両内側壁とパネル幅方向外方側に向く溝底面とによって区画され、略矩形溝形状とされている。
また、図例では、これら収容凹溝１７，１７を、素パネル１０のパネル厚さ方向中央に設けた例を示している。
この収容凹溝１７の溝幅寸法（パネル厚さ方向に沿う寸法）や溝深さ寸法（パネル幅方向に沿う寸法）は、この収容凹溝１７に埋め込まれるガイド部材２０のパネル厚さ方向に沿う寸法及びパネル幅方向に沿う寸法に応じて適宜、設定するようにしてもよい。
【００１６】
また、本実施形態では、素パネル１０を、図２（ｂ）に示すように、芯材１１の四周に薄板状の表面基材１２を貼着した構成としている。本実施形態では、パネル幅方向両側に収容凹溝１７，１７を設けているため、芯材１１のパネル厚さ方向両側のそれぞれに表面基材１２，１２を設けた構成としている。
芯材１１は、パネル長手方向に沿って長尺状とされている。この芯材１１は、例えば、複数の枠材や桟部材を組み付けた構成とされたフラッシュ状の芯材としてもよく、または、中実板状とされたものとしてもよい。
【００１７】
パネル厚さ方向両側の表面基材１２，１２は、素パネル１０のパネル厚さ方向両側における表面１５，１５及び両側の側端面１６，１６がそれぞれに一連状の下地面となるように芯材１１のパネル厚さ方向両側のそれぞれに一連状に貼着されている。
また、これら表面基材１２，１２は、薄板状の木質系基材１３，１３の表面に、下地面を構成する下地シート１４，１４を貼着した構成とされ、かつ裏面側に芯材１１の四周の角部に応じた折曲溝を設けた構成とされている。これら表面基材１２，１２は、折曲溝の部位において残存する少なくとも下地シート１４，１４の部位がヒンジ部（折曲部）のように機能し、これらの部位において折り曲げ可能とされている。
【００１８】
図例では、芯材１１の四周角部に応じた折曲溝を、これらの部位において折り曲げられて形成された素パネル１０の四周角部がＲ面取り状の突湾曲面形状となるように表面基材１２，１２の裏面側に設けた構成とした例を示している。なお、このような態様に代えて、素パネル１０の四周角部がＣ面取り形状の面取り形状や、直交状の角部となるように表面基材１２，１２の裏面側に折曲溝を設けた構成としてもよい。
なお、これら表面基材１２，１２は、展開状態におけるパネル幅方向両側の側端面が収容凹溝１７，１７の両内側壁を構成するように、これらの両側端面を、芯材１１に設けられた凹溝の両内側壁に一致させるようにして貼着されたものとしてもよい。または、一枚の表面基材を芯材１１の四周に一連状に貼着した後に、芯材１１を含めて表面基材を切除等して両方または一方の収容凹溝１７，１７を設けた構成としてもよい。さらには、芯材１１の凹溝内に折り曲げられて挿入された表面基材１２の側端部が収容凹溝１７の両側の内側壁の両方または一方を構成する態様等としてもよい。
【００１９】
なお、芯材１１は、合板やＬＶＬ（単板積層材）等の木質積層板、パーティクルボード等の木質ボード、インシュレーションボードやＭＤＦ（中密度繊維板）等の木質繊維板などの木質系材料から形成されたものとしてもよい。または、芯材１１は、合成樹脂系材料に、木粉や無機フィラー、相溶化剤、着色剤などを所定の含有割合で含有させた木粉・プラスチック複合材（ＷＰＣ）から形成されたものとしてもよい。
また、表面基材１２の裏面側層を構成する木質系基材１３としては、上記同様の木質系材料から形成されたものとしてもよい。この木質系基材１３は、例えば、１．０ｍｍ〜５．０ｍｍ程度の厚さ寸法とされたものとしてもよい。
また、表面基材１２の表面側層を構成する下地シート１４としては、その表面が、表面仕上シート２の貼着が可能で剥離し難いような易貼着性の表面物性（貼着手段による十分な貼着強度が得られる物性）を有したものとしてもよい。このような下地シート１４としては、紙材や、紙材に貼着手段としての接着剤との親和性のある樹脂を含浸させたシート、貼着手段としての接着剤との親和性のある樹脂シート等としてもよい。また、下地シート１４の表面が易貼着性の下地面となるように適宜の表面処理（表面研磨や、プライマー塗布、各種放電処理、光オゾン処理等）が施されたものとしてもよい。また、下地シート１４は、例えば、５０μｍ〜１．０ｍｍ程度の厚さ寸法とされたものとしてもよい。
【００２０】
また、表面基材１２としては、木質系基材１３と下地面を構成する下地シート１４とからなる二層構造とされたものに限られない。例えば、木質系基材１３の裏面側や木質系基材１３と下地シート１４との間に、防湿シート等の他のシート材等を更に積層した構造とされたものとしてもよい。
また、素パネル１０の下地面１５，１５，１６，１６の色柄は、表面仕上シート２の表面意匠への影響がないように、白色や淡い色等としてもよく、また、単色や無地等としてもよい。
また、素パネル１０の下地面１５，１５，１６，１６に、表面仕上シート２を貼着する際に表面仕上シート２との間に入り込む空気を排出するための複数の溝を設けた構成としてもよい。
また、素パネル１０の下地面１５，１５，１６，１６を全面に亘って覆うように、剥離可能な剥離シート等の保護シートを貼着した構成としてもよい。
また、当該パネル材１が、建具や可動間仕切を構成する場合には、素パネル１０に、ランナーや戸車等の走行案内部材や、蝶番等の回動連結部材、ハンドルや引手等の手掛部材、錠装置等を取り付けるための収納凹所や加工孔等を適宜、設けておくようにしてもよい。
【００２１】
ガイド部材２０は、収容凹溝１７の溝長手方向に沿って長尺状とされている。
また、本実施形態では、ガイド部材２０を、図１に示すように、収容凹溝１７内に概ね全体が収容される形状としている。また、このガイド部材２０は、略矩形溝形状とされた収容凹溝１７に対応させて、長手方向に見て略矩形状、つまりは、略四角柱棒状とされている。また、ガイド部材２０は、全長に亘って一様な断面形状とされている。このガイド部材２０は、その外周表面が、上記同様、表面仕上シート２の貼着が可能で剥離し難いような易貼着性の下地面を構成するものとされている。
また、このガイド部材２０は、素パネル１０の収容凹溝１７の全長に亘って設けられるものとしてもよく、収容凹溝１７の長手方向に沿って間隔を空けて複数箇所に設けられるものとしてもよい。例えば、上記のように当該パネル材１が、建具や可動間仕切を構成し、一側端面１６において開口するように素パネル１０に収納凹所や加工孔等が設けられている場合には、当該部位にはガイド部材２０を設けないようにしてもよい。
【００２２】
また、本実施形態では、図１及び図２に示すように、切断ガイド部２１を、一側端面１６において突出するように設けられた切断ガイド凸条２１としている。
この切断ガイド凸条２１は、ガイド部材２０のパネル幅方向外方側に向く面からパネル幅方向外方側に向けて突出し、ガイド部材２０の長手方向に延びるように全長に亘って設けられている。また、図例では、ガイド部材２０のパネル幅方向外方側に向く面のパネル厚さ方向中央部位に切断ガイド凸条２１を設けた例を示している。
この切断ガイド凸条２１は、少なくともパネル厚さ方向一方側に向く側壁と切断ガイド凸条２１の突出基端面となるガイド部材２０のパネル幅方向外方側に向く面との入隅部２２に表面仕上シート２が貼着された状態で切断刃４が沿わせられるガイド３が形成されるように設けられている。図例では、この入隅部２２のなす角を、略直角状とした例を示しているが、鋭角状としたり、鈍角状としたりしてもよい。
【００２３】
また、本実施形態では、切断ガイド凸条２１のパネル厚さ方向両側にガイド３，３となる入隅部２２，２２を設けた構成としている。つまり、切断ガイド凸条２１のパネル厚さ方向両側からそれぞれに貼着された表面仕上シート２，２の余長部位２ｂ，２ｂを切除する切断刃４が沿わせられるガイド３，３が切断ガイド凸条２１のパネル厚さ方向両側に形成される構成としている。
図例では、切断ガイド凸条２１を、長手方向に見て略矩形状とした例を示しているが、このような態様に代えて、例えば、長手方向に見て略台形状や、略逆台形状、略三角形状としたり、突出方向先端部が湾曲面形状とされたものとしてもよい。
また、図例では、切断ガイド凸条２１の突出基端面と素パネル１０の側端面１６とを略同一平面状とし、切断ガイド凸条２１を側端面１６よりも突出するように設けた例を示しているが、このような態様に限られない。例えば、切断ガイド凸条２１の突出方向先端面と側端面１６とが略同一平面状となるように切断ガイド凸条２１を設けるようにしてもよく、その他、種々の態様としてもよい。
【００２４】
また、この切断ガイド凸条２１の突出寸法は、表面仕上シート２の厚さに応じて、また、表面仕上シート２の端面を目立ち難くする観点や見栄え上の観点、切断刃を沿わせ易くする観点、切断ガイド凸条２１の強度の観点等から適宜、設定するようにしてもよい。また、切断ガイド凸条２１の突出寸法を、少なくとも表面仕上シート２の厚さ寸法よりも大きい寸法としてもよい。例えば、この切断ガイド凸条２１の突出寸法を、０．３ｍｍ〜３ｍｍ程度としてもよく、好ましくは０．３ｍｍ〜１ｍｍ程度としてもよい。
また、この切断ガイド凸条２１のパネル厚さ方向に沿う寸法は、表面仕上シート２の貼着後における切断ガイド凸条２１を目立ち難くする観点や、強度の観点等から適宜、設定するようにしてもよい。例えば、この切断ガイド凸条２１のパネル厚さ方向に沿う寸法を、０．３ｍｍ〜５ｍｍ程度としてもよく、好ましくは０．５ｍｍ〜２ｍｍ程度としてもよい。
【００２５】
なお、図例では、ガイド部材２０を、中実棒状とした例を示しているが、このような態様に代えて、中空筒状としてもよい。
また、ガイド部材２０を、一体成形品としてもよい。また、このガイド部材２０は、例えば、長手方向に沿って押出成形されたものとしてもよく、また、射出成形等されたものとしてもよい。また、ガイド部材２０は、硬質の合成樹脂系材料や金属系材料等から一体的に成形されたものとしてもよい。
【００２６】
次に、上記構成とされたパネル材を用いた本実施形態に係る表面仕上シートの貼着方法の一例について説明する。
本実施形態では、パネル材１の少なくとも一方の表面１５及び一側端面１６に一連状に、かつ切断ガイド部２１を覆うように表面仕上シート２を貼着して形成されたガイド３に、切断刃４を沿わせるようにして表面仕上シート２の余長部位２ｂを切除するようにしている。図例では、素パネル１０のパネル厚さ方向両面１５，１５側のそれぞれに、一枚の表面仕上シート２，２を一連状に貼着した例を示している。
これらパネル厚さ方向両面１５，１５側の表面仕上シート２，２は、素パネル１０の下地面１５，１５，１６，１６に貼着可能なように、適宜の寸法とされたものとしてもよい。また、これら表面仕上シート２，２は、パネル幅方向両側に余長部位２ｂ，２ｂ，２ｂ，２ｂがそれぞれに形成されるような寸法とされたものとしてもよい。
【００２７】
このように、パネル材１に表面仕上シート２を貼着し、パネル材１を表面仕上済パネル９とする際には、例えば、以下のようにしてもよい。
例えば、素パネル１０のパネル厚さ方向一方の表面１５に、表面仕上シート２のパネル幅方向途中部位を貼着する（図１（ａ）参照）。そして、この表面仕上シート２のパネル幅方向両側の端部２ａ，２ａを、パネル厚さ方向一方の表面１５側におけるパネル幅方向両側の側端面１６，１６に、切断ガイド凸条２１，２１のパネル厚さ方向一方側の入隅部２２，２２を覆うように貼着する（図１（ｂ）参照）。この際、ヘラ等の治具によって、表面仕上シート２，２の端部２ａ，２ａを、入隅部２２，２２に沿わせるようにして貼着するようにしてもよい。
【００２８】
上記のように貼着すれば、切断ガイド凸条２１，２１のパネル厚さ方向一方側の入隅部２２，２２に沿って入隅状のガイド３，３が形成される（図１（ｂ）参照）。これらガイド３，３に、カッター等の切断具の切断刃４を沿わせるようにして表面仕上シート２の両側の余長部位２ｂ，２ｂをそれぞれに切除するようにしてもよい（図１（ｂ）、（ｃ）参照）。
そして、上記と概ね同様にして、素パネル１０のパネル厚さ方向他方の表面１５側にも表面仕上シート２を貼着するようにしてもよい（図１（ｃ）、（ｄ）参照）。
このように貼着された状態では、パネル厚さ方向両側に貼着された表面仕上シート２，２の端部２ａ，２ａ，２ａ，２ａが、切断ガイド凸条２１，２１の入隅部２２，２２，２２，２２に近接または当接した状態となる。また、表面仕上済パネル９のパネル幅方向両側の側端面において、切断ガイド凸条２１，２１の先端面が露出した状態となる。
【００２９】
なお、上記のような態様に代えて、例えば、まず、素パネル１０のパネル幅方向一方側の側端面１６に、切断ガイド凸条２１のパネル厚さ方向一方側の入隅部２２を覆うように表面仕上シート２の端部２ａを貼着するようにしてもよい。そして、この表面仕上シート２を、巻き付けるようにして素パネル１０のパネル厚さ方向一方の表面１５に貼着し、また、パネル幅方向他方側の側端面１６に、切断ガイド凸条２１のパネル厚さ方向一方側の入隅部２２を覆うように貼着するようにしてもよい。また、上記同様にして、表面仕上シート２の余長部位２ｂ，２ｂを切除するようにしてもよい。また、素パネル１０のパネル厚さ方向他方の表面１５側にも同様にして表面仕上シート２を貼着するようにしてもよい。
【００３０】
また、表面仕上シート２は、適宜の接着剤によって素パネル１０の下地面１５，１５，１６，１６に貼着するようにしてもよい。または、表面仕上シート２の裏面に剥離紙や粘着材が設けられている場合には、剥離紙を剥がして貼着するようにしてもよい。
また、このような表面仕上工程は、住居等の建物等の施工現場において行うようにしてもよく、工務店等の施工現場外において行うようにしてもよい。また、建具や可動間仕切を構成する場合には、建て付けられた状態で、表面仕上シート２を貼着するような態様等としてもよい。
また、表面仕上済パネル９が建具や可動間仕切を構成し、素パネル１０に上記のような収納凹所や加工孔等が設けられている場合には、表面仕上シート２を貼着した後に、当該部位に貼着された表面仕上シート２を切除等するようにしてもよい。
また、上記した表面仕上シート２の貼着態様は、一例に過ぎず、種々の貼着態様の採用が可能である。
【００３１】
本実施形態に係るパネル材１及びこれを用いた表面仕上シートの貼着方法は、上述のような構成としたことで、表面意匠の選択自由度を向上させながらも、表面仕上シート２の貼着性を向上させることができる。
つまり、パネル材１（素パネル１０）は、少なくともパネル厚さ方向一方面（表面）１５及び一側端面１６に一連状に表面仕上シート２の貼着が可能なように、少なくともパネル厚さ方向一方面１５及び一側端面１６が易貼着性の下地面とされている。従って、他の内装材や内装設備等の表面意匠と色柄等を合わせた表面仕上シート２を選択したり、内装の仕上げ段階の際や部分リフォームの際等に、他の内装部位との調和性を見るなどして表面仕上シート２を選択したりすることができる。そして、その選択した表面仕上シート２を、パネル材１のパネル厚さ方向一方面１５及び一側端面１６に一連状に貼着することができ、表面意匠の選択自由度を向上させることができる。また、例えば、一側端面１６にエッジシート等を貼着するような態様とした場合と比べて、パネル厚さ方向一方面１５と一側端面１６との縁部における見栄えを向上させることができる。
【００３２】
また、一側端面１６に、当該一側端面１６に貼着された表面仕上シート２の余長部位２ｂを切除する切断刃４が沿わせられるガイド３が形成されるように、長手方向に延びるように切断ガイド部（切断ガイド凸条）２１を設けている。従って、上述のように、切断ガイド部２１によって形成されるガイド３にカッター等の切断具の切断刃４を沿わせるようにして表面仕上シート２の余長部位２ｂを一側端面１６の長手方向に沿って容易に切除することができ、作業性を向上させることができる。また、例えば、このような切断ガイド部２１を設けていないものと比べて、表面仕上シート２の端部２ａの直線性を向上させることができ、見栄えを向上させることができる。
【００３３】
また、本実施形態では、パネル材１を、パネル厚さ方向両面１５，１５のそれぞれから一側端面１６に一連状に表面仕上シート２，２の貼着が可能なように、パネル厚さ方向両面１５，１５及び一側端面１６が易貼着性の下地面とされたものとしている。従って、パネル厚さ方向の各面１５，１５から一側端面１６に貼着された表面仕上シート２，２の余長部位２ｂ，２ｂのそれぞれを、ガイド３に沿わせて切除することができる。これにより、例えば、表面仕上シート２を一側端面１６において重ね合わせるように貼着する態様と比べて、表面仕上シート２の端面の露出や表面仕上シート２の端部２ａからの剥離等を低減することができる。
【００３４】
また、本実施形態では、パネル材１のパネル幅方向両側の側端部のそれぞれに切断ガイド部２１，２１を設けた構成としている。従って、パネル厚さ方向両面１５，１５側に貼着される表面仕上シート２，２の各端部２ａ，２ａ，２ａ，２ａの余長部位２ｂ，２ｂ，２ｂ，２ｂを、これら両側の切断ガイド部２１，２１によって形成されたガイド３，３，３，３に切断刃４を沿わせて切除することができる。また、これにより、パネル材１の四周に、巻き付けるように単一の表面仕上シート２を貼着する態様とした場合と比べて、表面仕上シート２，２の貼着性を向上させることができる。また、例えば、パネル材１のパネル厚さ方向両面１５，１５側のそれぞれに貼着される表面仕上シート２，２の色柄等を異ならせたものとすることもでき、表面意匠の選択自由度をより向上させることができる。
なお、このような態様に代えて、パネル材１のパネル幅方向一方側の側端部のみに切断ガイド部２１を設けた構成としてもよい。この場合は、表面仕上シート２の端部２ａを、パネル幅方向一方側の側端面１６のパネル厚さ方向一方側に貼着し、四周に巻き付けるようにして貼着するようにしてもよい。
【００３５】
また、本実施形態では、切断ガイド部２１を、一側端面１６において突出するように設けられた切断ガイド凸条２１としている。従って、上述のように、切断ガイド凸条２１の入隅部２２を覆うように表面仕上シート２が貼着されて形成されたガイド３にカッター等の切断具の切断刃４を沿わせるようにして表面仕上シート２の余長部位２ｂを切除することができる。これにより、表面仕上シート２の端面が切断ガイド凸条２１の側壁に近接対面または当接することとなり、表面仕上シート２の端面を目立ち難くすることができる。また、表面仕上シート２の端部２ａが切断ガイド凸条２１よりもパネル幅方向外方側に突出し難くなるので、表面仕上シート２の端部２ａからの剥離等を効果的に低減することができる。
【００３６】
また、本実施形態では、切断ガイド部（切断ガイド凸条）２１を、一側端面１６において開口する収容凹溝１７に埋め込まれるように設けられたガイド部材２０に設けている。従って、例えば、パネル材１に一体的に切断ガイド部２１を設けたようなものと比べて、切断ガイド部２１を比較的に複雑な形状や微細な形状とする場合にも、効率的に成形することができる。
【００３７】
次に、本発明に係る他の実施形態について、図面を参照しながら説明する。
図３は、第２実施形態に係るパネル材の一例を模式的に示す図である。
なお、上記第１実施形態との相違点について主に説明し、同様の構成については、同一の符号を付し、その説明を省略または簡略に説明する。
【００３８】
本実施形態に係るパネル材１Ａは、図３に示すように、切断ガイド部２１Ａの構成が上記第１実施形態とは主に異なる。
本実施形態では、切断ガイド部２１Ａを、一側端面１６において開口するように設けられた切断ガイド凹溝２１Ａとしている。また、上記第１実施形態と概ね同様、この切断ガイド凹溝２１Ａを、一側端面１６において開口する収容凹溝１７に埋め込まれるように設けられたガイド部材２０Ａに設けている。このガイド部材２０Ａは、上記第１実施形態と概ね同様、図３に示すように、収容凹溝１７内に概ね全体が収容される形状とされている。図例では、ガイド部材２０Ａのパネル幅方向外方側に向く面と一側端面１６とが略同一平面状となるようにガイド部材２０Ａを設けた例を示している。
【００３９】
切断ガイド凹溝２１Ａは、ガイド部材２０Ａのパネル幅方向外方側に向く面において開口し、ガイド部材２０Ａの長手方向に延びるように全長に亘って設けられている。また、図例では、ガイド部材２０Ａのパネル幅方向外方側に向く面側のパネル厚さ方向中央部位に切断ガイド凹溝２１Ａを設けた例を示している。
この切断ガイド凹溝２１Ａは、当該切断ガイド凹溝２１Ａ内に表面仕上シート２の端部２ａが押し込まれた状態で、切断刃４やへら等の治具の差込が可能で、切断刃４が沿わせられるガイド３Ａが形成されるように設けられている。また、本実施形態では、切断ガイド凹溝２１Ａを、パネル厚さ方向両側からそれぞれに貼着された表面仕上シート２，２の端部２ａ，２ａを受け入れ可能な構成としている。
また、本実施形態では、切断ガイド凹溝２１Ａの開口側を、開口側に向かうに従い拡開する拡開状としている。このような構成とすれば、当該切断ガイド凹溝２１Ａを覆うように貼着した表面仕上シート２を押し込むヘラ等の治具や切断刃４を、切断ガイド凹溝２１Ａに差し込み易くすることができる。
【００４０】
また、本実施形態では、切断ガイド凹溝２１Ａの溝底側を、略直角状の入隅部を溝幅方向（パネル厚さ方向に沿う方向）両側に設けた略矩形溝形状としている。
なお、このような態様に代えて、例えば、切断ガイド凹溝２１Ａを、略Ｖ字溝形状としたり、略逆台形溝形状としたりしてもよく、または、全体に亘って略矩形溝形状とされたものとしてもよい。さらには、切断ガイド凹溝２１Ａを、溝底側の溝幅寸法よりも開口側の溝幅寸法が小さい寸法とされたもの等としてもよい。
この切断ガイド凹溝２１Ａの溝幅寸法や溝深さ寸法は、上記と概ね同様、表面仕上シート２の厚さに応じて、また、表面仕上シート２の端部２ａの納め性や見栄え上の観点や、切断刃４やヘラ等の治具の差込性の観点等から適宜、設定するようにしてもよい。例えば、この切断ガイド凹溝２１Ａの（溝底側の）溝幅寸法を、０．３ｍｍ〜５ｍｍ程度としてもよく、好ましくは０．５ｍｍ〜２ｍｍ程度としてもよい。また、例えば、この切断ガイド凹溝２１Ａの溝深さ寸法を、０．３ｍｍ〜１０ｍｍ程度としてもよく、好ましくは０．５ｍｍ〜５ｍｍ程度としてもよい。
【００４１】
上記構成とされたパネル材１Ａに表面仕上シート２を貼着し、パネル材１Ａを表面仕上済パネル９Ａとする際には、上記第１実施形態と概ね同様、以下のようにしてもよい。
つまり、素パネル１０のパネル厚さ方向一方の表面１５側の表面仕上シート２のパネル幅方向の端部２ａを、パネル厚さ方向一方の表面１５側におけるパネル幅方向の側端面１６に、切断ガイド凹溝２１Ａを覆うように貼着する（図３（ｂ）参照）。この際、ヘラ等の治具によって、表面仕上シート２の端部２ａを、切断ガイド凹溝２１Ａに押し込むようにしてもよい。このように貼着すれば、切断ガイド凹溝２１Ａに沿って凹溝状のガイド３Ａが形成され、このガイド３Ａに、カッター等の切断具の切断刃４を沿わせるようにして表面仕上シート２の余長部位２ｂを切除するようにしてもよい（図３（ｂ）、（ｃ）参照）。そして、上記と概ね同様にして、素パネル１０のパネル厚さ方向他方の表面１５側にも表面仕上シート２を貼着するようにしてもよい（図３（ｃ）、（ｄ）参照）。
このように貼着された状態では、パネル厚さ方向両側に貼着された表面仕上シート２，２の端部２ａ，２ａが、切断ガイド凹溝２１Ａに押し込まれ納められた状態となる。
なお、上記第１実施形態と同様、表面仕上シート２の貼着態様は、一例に過ぎず、種々の貼着態様の採用が可能である。
【００４２】
本実施形態に係るパネル材１Ａ及びこれを用いた表面仕上シートの貼着方法においても、上記した第１実施形態と概ね同様の効果を奏する。
また、本実施形態では、切断ガイド部２１Ａを、一側端面１６において開口するように設けられた切断ガイド凹溝２１Ａとしている。従って、上述のように、切断ガイド凹溝２１Ａに押し込むように表面仕上シート２を貼着し、切断具の切断刃４を切断ガイド凹溝２１Ａに差し入れ沿わせるようにして表面仕上シート２の余長部位２ｂを切除することができる。これにより、表面仕上シート２の端部２ａが切断ガイド凹溝２１Ａ内に納められることとなり、表面仕上シート２の端面を、より効果的に目立ち難くすることができ、また、表面仕上シート２の端部２ａからの剥離等を、より効果的に低減することができる。
また、上記第１実施形態のように、切断ガイド部２１を切断ガイド凸条２１とした場合と比べて、表面仕上シート２の貼着後における切断ガイド部を目立ち難くすることができる。
【００４３】
なお、上記各実施形態では、切断ガイド部２１，２１Ａを、素パネル１０とは別体とされたガイド部材２０，２０Ａに設けた構成としているが、このような態様に限られない。例えば、素パネル１０の収容凹溝１７から突出させるようにガイド部材２０を埋込状に設け、このガイド部材２０の突出部位自体を、切断ガイド凸条２１としたような態様としてもよい。さらには、上記のような切断ガイド部２１，２１Ａを、素パネル１０自体に一体的に設けるようにしてもよく、その他、種々の態様とされたものとしてもよい。
また、上記各実施形態では、パネル材１，１Ａを、略矩形平板状とした例を示しているが、このような態様に限られず、例えば、複数のパネル材１，１Ａが、框状パネル材の框部を構成するような態様としてもよい。例えば、パネル材１，１Ａを、二方框状パネル材の縦框部を構成するものとしたり、四方框状パネル材の四周の框部を構成するものとしたりしてもよい。この場合は、鏡板部側の側端面を、切断ガイド部が設けられる一側端面として把握するようにしてもよい。また、この場合は、鏡板部の厚さ方向両側のそれぞれに切断ガイド部を設けるようにしてもよい。また、この場合は、例えば、切断ガイド部を、鏡板部側が段上がり状とされた段差によって構成するようにしてもよい。
また、上記各実施形態に係るパネル材１，１Ａは、建具パネルや間仕切パネルとして用いられるものに限られない。例えば、これらを、カウンターパネルとして用いられるものや、収納部を区画する各種のパネル（天板や側板、底板、棚板、仕切板等）として用いられるものとしたり、他の家具材や、他の内装材等として用いられるものとしてもよい。
【符号の説明】
【００４４】
１，１Ａ      パネル材
１５          表面（パネル厚さ方向一方面）
１６          側端面（一側端面）
１７          収容凹溝
２０，２０Ａ  ガイド部材
２１          切断ガイド凸条（切断ガイド部）
２１Ａ        切断ガイド凹溝（切断ガイド部）
２            表面仕上シート
２ｂ          余長部位
３，３Ａ      ガイド
４            切断刃
【図１】
0006399484.tif 000002
【図２】
0006399484.tif 000003
【図３】
0006399484.tif 000004